【事件の表示】
　平成　６年特許願第　１７９３１号「インクジェット・プリント方法およびインク組成物」拒絶査定不服審判事件〔平成　７年　１月　６日出願公開、特開平　７−　　１８３７〕について、次のとおり審決する。
【結　論】
　本件審判の請求は、成り立たない。
【理　由】
１．手続の経緯・本願発明 
　本願は、平成６年１月１８日（パリ条約に基づく優先権主張、１９９３年１月１９日　米国）に出願されたものであり、その請求項１ないし１１に係る発明は、平成１６年２月６日付の手続補正書によって補正された明細書の特許請求の範囲の請求項１ないし１１に記載されたとおりのものと認められ、そのうち請求項１に係る発明は次のとおりのものである。 
「【請求項１】　ｐＨ感応性分散剤を配合し、顔料が分散されている第１のインクでプリント媒体上にプリントし、次に、前記第１のインクの分散された顔料を前記プリント媒体上で析出させるのに適切なpHの第２のインクでプリントし、第２のインクを第１のインクに隣接してプリントすることで、第１及び第２のインクの境界において１つの色が他の色へ侵入する二色間におけるにじみを減少させることを特徴とするインクジェット・プリント方法。」
　
２．先願明細書に記載された発明
　原査定の拒絶の理由に引用された、本件の優先日前の平成４年１２月８日の出願であつて本件出願後に出願公開された特願平４−３２８１１６号の願書に最初に添附した明細書（特開平６−１７１２０８号公報参照、以下、「先願明細書」という。）には、次の事項が記載されている。 
（ａ）「【請求項７】ブラックインク、シアンインク、マゼンタインク及びイエローインクにエネルギーを付与して吐出口からインク滴として吐出させて、該インク滴を被記録材上に着弾させてカラー記録を行うインクジェット記録方法において、顔料系ブラックインクと、ｐＨを４以下に調製したシアン、マゼンタまたはイエローいずれかの染料系インクとを同一地点に着弾させることを特徴とするインクジェット記録方法。」（特許請求の範囲）、　
（ｂ）「顔料系インクが被記録材表面に到達すると、直後に顔料が凝集し、被記録材表面に留まることにより、色画像が得られる。従って、被記録材の表面状態が顔料系インクの分散状態を不安定にするものであれば、充分な画像濃度が得られ、逆に、顔料系インクの分散状態が安定しており、被記録材へのインクの浸透が優先する場合は、充分な画像濃度が得られない。」（段落【００１５】）
（ｃ）「上記のごとく構成した本発明は、それ自体では、分散安定性のよい顔料系インクが、酸性もしくは塩を含有する染料系インクと被記録材上で交わることによって、安定な分散状態がくずれ、瞬時に凝集し、被記録材表面に固着することにより充分な画像濃度が得られるものである。更に顔料系インクをブラック、顔料系インクに重ねる染料系インクを例えばシアン、マゼンタまたはイエローのいずれかにすることによって、特に画像濃度、堅牢性に優れた黒色画像を得ることができるものである。更に、顔料系ブラックインクと、シアン、マゼンタ及びイエロー３色の染料系インクを使用することによって、カラー画像においても画像濃度、堅牢性に優れた黒色画像を得ることができる。」（段落【００１９】）
（ｄ）「いずれのヘッド構成でもブラックの記録信号を受けたとき、染料系インクが、ブラックの印字される前もしくは印字された後に、ブラックインクと同じ場所に着弾するように構成する。着弾順序は、どちらが先でもよいが、ブラックインクと他のインクとを殆ど時間差を設けずに着弾させる場合は、ブラックインクを先に着弾させる方が、インクの紙に対する定着が早くなるので好ましい。」（段落【００５６】）
（ｅ）「（１）ブラックインクＢ１の調製
　１）顔料分散液の調製
【表１】　顔料分散液組成
┌──────────────────────────────┐
│スチレン−アクリル酸−アクリル酸ブチル共重合体　　１．５部　│
│（酸価１１６、重量平均分子量３７００）　　　　　　　　　　　│
│モノエタノールアミン　　　　　　　　　　　　　　　１　　部　│
│イオン交換水　　　　　　　　　　　　　　　　　　８１．５部　│
│ジエチレングリコール　　　　　　　　　　　　　　　５　　部　│
└──────────────────────────────┘
上記成分を混合し、ウオーターバスで７０℃に加温し、樹脂を完全に溶解させた。この溶液にカーボンブラック（ＭＣＦ８８　三菱化成製）１０部、イソプロピルアルコール１部を加え、３０分間プレミキシングを行った。次いで、径１ｍｍのジルコニウムビーズを用いて、３時間分散処理を行い、更に遠心分離処理（１２０００ｒｐｍ、２０分間）を行い、粗大粒子を除去して、分散液１とした。
２）インクの調製
【表２】　ブラックインクＢ１組成
┌────────────────────┐
│分散液１　　　　　　　　　　　　１０部　│
│グリセリン　　　　　　　　　　　　３部　│
│ジエチレングリコール　　　　　　１３部　│
│ｎ−メチルピロリドン　　　　　　　６部　│
│イソプロピルアルコール　　　　　　４部　│
│イオン交換水　　　　　　　　　　６４部　│
└────────────────────┘
上記成分を混合し、更にモノエタノールアミンを加えてｐＨを８〜１０に調整し、ブラックインクＢ１を得た。（段落【００５８】〜【００６１】）、（ｆ）イエロー、マゼンタ及びシアンの染料にそれぞれ溶媒、水を混合溶解した後で、酢酸を加え、ｐＨをそれぞれ、３、３．５、２．５に調整し、この溶液をフィルターにて濾過し、イエローインクＹ２、マゼンタインクＭ２、シアンインクＣ２を得た（段落【００７１】〜【００７４】）。
　
　これらの記載によれば、先願明細書には次の発明が記載されていると認められる（以下、「先願発明」という。）。
「カラー記録を行うインクジェット記録方法において、スチレン−アクリル酸−アクリル酸ブチル共重合体を含む分散剤を配合し、顔料としてカーボンブラックを分散させたｐＨ８〜１０の顔料ブラックインクを被記録材上に印字し、次に、ｐＨを４以下に調製したシアン、マゼンタまたはイエローいずれかの染料系インクを同一地点に着弾させ、顔料ブラックインクを凝集させ、被記録材表面に固着させる、インクジェット記録方法。」
　
３．対比と判断 
　請求項１に係る発明と先願発明を対比する。
ア．先願発明における「インクジェット記録方法」、「被記録材」は、請求項１に係る発明の「インクジェット・プリント方法」、「プリント媒体」に相当する。
イ．「スチレン−アクリル酸−アクリル酸ブチル共重合体」は、カルボン酸を有し、ｐＨにより顔料インクの溶解性を変化させる作用をするものであるから、請求項１に係る発明の「ｐＨ感応性分散剤」に相当する。
ウ．先願発明における「顔料ブラックインク」は、顔料が分散されているものであるから、請求項１に係る発明の「第１のインク」に相当する。
エ．先願発明における「ｐＨを４以下に調製したシアン、マゼンタまたはイエローいずれかの染料系インク」は、ｐＨを４以下に調製することにより、顔料ブラックインクと接触したときに、顔料ブラックインクの顔料を凝集させ、被記録材表面に固着させるものであるから、請求項１に係る発明の「第１のインクの分散された顔料を前記プリント媒体上で析出させるのに適切なｐＨの第２のインク」に相当する。
　したがって、両者は、「ｐＨ感応性分散剤を配合し、顔料が分散されている第１のインクでプリント媒体上にプリントし、次に、前記第１のインクの分散された顔料を前記プリント媒体上で析出させるのに適切なｐＨの第２のインクでプリントするインクジェット・プリント方法。」である点で一致し、次の点で一応相違する。
  相違点：請求項１に係る発明は、「第２のインクを第１のインクに隣接してプリントすることで、第１及び第２のインクの境界において１つの色が他の色へ侵入する二色間におけるにじみを減少させる」ものであるのに対し、先願発明は、第２のインクを第１のインクと同一地点に着弾させ、顔料ブラックインクを凝集させ、被記録材表面に固着させるものであり、第２のインクを第１のインクに隣接してプリントすることは明示されていない点。
　
　上記相違点について検討すると、カラー記録を行うインクジェット記録方法においては、通常、ブラックインクのプリント領域に隣接して、カラーインクのプリント領域が形成されるものであり、カラー記録を行う先願発明においても、カラー染料を含有する第２のインクは、ブラックの第１インクと同一地点に重ねてプリントされる他に、カラー画像を形成するために、第１インクに隣接する領域にもプリントされることは明らかであり、その際、第１のインクは隣接する第２のインクの作用により、凝集して、被記録材表面に固着され、１つの色が他の色へ侵入する二色間におけるにじみが減少されることも、先願明細書の記載（ｂ、ｃ）から明らかである。
　さらに、本願明細書には、【図１ａ】ないし【図１ｃ】に関して、段落【００３８】ないし【００４２】に、「図３a、図３b、図３cでは、第１のカラーインクであるイエロー・インクは直線で描かれた四角形内の白色領域によって示されており、第２のカラーインクは黒色領域で示されている。プリント・サンプルは、第２のカラーインクの２本の棒の間にプリントされたイエロー・インクの１本の棒を示している。各図において、ブラックの棒とイエローの棒との間の重なり度合をある程度変化させたもので、その横にその数値が示されている。例えば、「−２」のものは、カラーの棒とイエローの棒との間に二つのブランク・ドット列があけられている。「０」のものは、カラーの棒とイエローの棒との間にはブランク・ドット列が存在していない。言い換えれば、カラーの棒とイエローの棒が直接に隣り合ってプリントされている。最後に、「＋２」のものは、カラーの棒とイエローの棒が二つのドット列分重なり合っている。カラー間のにじみは各図において最上段から最下段へと順次悪くなると推測される。・・・
　にじみの最小化をはかる上述の本発明は、二色またはそれ以上の色のインクジェット・プリンティングの利用することができる。
　以上、本願発明の実施例基づいて詳述してきたが・・・」（注：明細書に記載の図３ａ、図３ｂ、図３ｃはそれぞれ【図１ａ】、【図１ｂ】、【図１ｃ】に相当する。）と記載されており、「第２のインクを第１のインクに隣接してプリントする」とは、第２のインクと第１のインクが直接に隣り合ってプリントされるものだけでなく、第２のインクを第１のインクと隣り合い、かつその一部が重なり合うようにプリントするものをも含むものと解され請求項１に係る発明は、第２のインクを第１のインクの一部と同一地点に着弾させる発明をも含んでいる。
　そうすると、先願発明のカラー記録を行うインクジェット記録方法には、請求項１に係る発明が実質的に包含されており、請求項１に係る発明は先願発明と同一である。　
　
４．むすび 
　以上のとおり、本願の請求項１に係る発明は、本件の出願の日前に出願された出願であつてその出願後に出願公開された特願平６−１７１２０８号の願書に最初に添付した明細書に記載された発明と同一であり、かつ、上記の出願の発明者が本件出願に係る発明の発明者と同一であるとも、また本件出願の時においてその出願人が上記出願の出願人と同一であるとも認められないので、特許法第２９条の２の規定により、特許出願の際独立して特許を受けることができないものであり、他の請求項について検討するまでもなく、本願は拒絶すべきものである。
　よって、結論のとおり審決する。